(57)【要約】【課題】定型サイズ以外のサイズであっても検知することができる画像読取装置及び画像形成装置を提供する。【解決手段】原稿を載置する装置と、原稿を照射する原稿照射手段とを有し、原稿照射手段により載置装置上の原稿を走査して原稿の複数ラインの画像データを取得し、画像データを用いて原稿の主走査サイズを判定する判定機能を有し、原稿照射手段が原稿読取りを開始する基準位置から任意の距離だけ離れた位置において、画像データを取得することにより、任意のサイズの原稿を検知可能としたので、定型サイズ以外のサイズであっても検知することができる。【選択図】図１
2008211522.tif 000002
【特許請求の範囲】
【請求項１】
原稿を載置する装置と、該原稿を照射する原稿照射手段とを有し、該原稿照射手段により該載置装置上の原稿を走査して原稿の複数ラインの画像データを取得し、該画像データを用いて原稿の主走査サイズを判定する判定機能を有し、該原稿照射手段が原稿読取りを開始する基準位置から任意の距離だけ離れた位置において、該画像データを取得することにより、任意のサイズの原稿を検知可能としたことを特徴とする画像読取装置。
【請求項２】
ユーザーが設定するための設定画面を有し、該設定画面によりユーザーが任意の主走査長ならびに副走査長を設定する設定機能を有し、該設定機能により設定された任意の原稿サイズを検知することを特徴とする請求項１記載の画像読取装置。
【請求項３】
システム管理者としてシステムに登録された特定ユーザーだけがシステムの設定をすることができるシステム管理者設定画面を有し、前記副走査長の設定は前記システム管理者設定画面でだけ設定できることを特徴とする請求項２記載の画像読取装置。
【請求項４】
ユーザーが設定可能な原稿サイズに上限があることを特徴とする請求項２記載の画像読取装置 。
【請求項５】
ユーザーが前記原稿サイズの上限より大きなサイズを設定した場合、該設定画面に上限を超えていることを表示するようにしたことを特徴とする請求項４記載の画像読取装置。
【請求項６】
ユーザーが前記原稿サイズの上限よりサイズより大きなサイズを設定した場合、警告音を鳴らすようにしたことを特徴とする請求項４記載の画像読取装置。
【請求項７】
ユーザーが前記原稿サイズの上限より大きなサイズを設定した場合、該設定を無効とするようにしたことを特徴とする請求項４記載の画像読取装置。
【請求項８】
ユーザーが設定可能な原稿サイズに下限を設けたことを特徴とする請求項２記載の画像読取装置。
【請求項９】
ユーザーが前記原稿サイズの下限より小さなサイズを設定した場合、該設定画面に下限を超えていることを表示するようにしたことを特徴とする請求項８記載の画像読取装置。
【請求項１０】
ユーザーが前記原稿サイズの下限より小さなサイズを設定した場合、警告音を鳴らすようにしたことを特徴とする請求項８記載の画像読取装置。
【請求項１１】
ユーザーが前記原稿サイズの下限より小さなサイズを設定した場合、該設定を無効にするようにしたことを特徴とする請求項８記載の画像読取装置。
【請求項１２】
ユーザーが任意の原稿サイズを設定する画面において、長さの設定単位の切り替えが可能なことを特徴とする請求項２記載の画像読取装置。
【請求項１３】
請求項１から１２のいずれか１項記載の画像読取り装置を有することを特徴とする画像形成装置。
【請求項１４】
請求項２記載の画像読取装置を有する画像形成装置において、定型サイズ用紙をセット可能な給紙トレイを有し、前記設定機能によりユーザーが設定したサイズと該給紙トレイにセットされている用紙サイズを比較する比較手段を有し、該比較手段により、該ユーザー設定サイズと該給紙トレイにセットされた用紙のサイズとが一致した場合、前記設定画面に定型サイズであることを表示するようにしたことを特徴とする画像形成装置。
【請求項１５】
請求項２記載の画像読取装置を有する画像形成装置において、定型サイズ用紙をセット可能な給紙トレイを有し、前記設定機能によりユーザーが設定したサイズと該給紙トレイにセットされている用紙サイズを比較する比較手段を有し、該比較手段により、該ユーザー設定サイズと該給紙トレイにセットされた用紙のサイズとが一致した場合、警告音を鳴らすようにしたことを特徴とする画像形成装置。
【請求項１６】
請求項２記載の画像読取装置を有する画像形成装置において、定型サイズ用紙をセット可能な給紙トレイを有し、前記設定機能によりユーザーが設定したサイズと該給紙トレイにセットされている用紙サイズを比較する比較手段を有し、該比較手段により、該ユーザー設定サイズと該給紙トレイにセットされた用紙のサイズとが一致した場合、該設定を無効にするようにしたことを特徴とする画像形成装置。
【請求項１７】
請求項２記載の画像読取装置を有する画像形成装置において、任意のサイズの用紙を給紙可能な給紙トレイを有し、前記設定機能によりユーザーが設定した原稿サイズを検知した場合、該給紙トレイから用紙を給紙するようにしたことを特徴とする画像形成装置。
【発明の詳細な説明】
【技術分野】
【０００１】
本発明はディジタル複写機、複合機等の画像形成装置における画像読取装置に関わり、特に画像読取部にて原稿サイズ検知を行う装置に関わる。
【背景技術】
【０００２】
本発明の背景を述べる。
従来原稿読取装置において、ブック読取り時に原稿サイズを検知する方式として赤外線センサを用いていたが、近年赤外線センサを用いずに、原稿読み取り用のラインセンサを用いて原稿サイズを検知する方式が用いられるようになってきている。原稿サイズを検知する場合、主走査サイズのみならず副走査方向のサイズも必要になるが、副走査方向の原稿サイズ検知を行おうとすると、特許文献１記載の技術のように、原稿面をプレスキャンする必要が出てくる。この場合、スキャン速度等に影響を及ぼし、またサイズ検知に時間がかかるため、実際には特許文献２記載の技術のように、副走査方向の原稿サイズ検知は従来通り赤外線センサにて行い、主走査方向検知のみ、ラインセンサ読取データを使う方式が主流となっている。
【特許文献１】特開平１０−２５７２５５号公報
【特許文献２】特開２０００−１３８７９８号公報
【発明の開示】
【発明が解決しようとする課題】
【０００３】
しかし、原稿読み取り用のラインセンサを用いて原稿サイズを検知する場合、理論的には任意の長さを検知することが可能であるが、一方、副走査方向の長さは赤外線センサの位置が定型サイズを検知可能な位置に固定されているため、副走査方向の長さは固定のサイズしか検知することができない。
【０００４】
ランプなどの原稿照射手段により原稿を走査して原稿の複数ラインの画像データを取得し、画像データを用いて原稿の主走査サイズを判定し、赤外センサを用いて副走査サイズを判定する画像読み取り装置において、副走査サイズはセンサ位置が固定であるため、任意の副走査サイズを判定することは不可能であり、定型サイズ以外は検知不可能である。
【０００５】
そこで、本発明の主な目的は、定型サイズ以外のサイズであっても検知することができる画像読取装置及び画像形成装置を提供することにある。
【課題を解決するための手段】
【０００６】
上記課題を解決するために、請求項１記載の発明は、原稿を載置する装置と、該原稿を照射する原稿照射手段とを有し、該原稿照射手段により該載置装置上の原稿を走査して原稿の複数ラインの画像データを取得し、該画像データを用いて原稿の主走査サイズを判定する判定機能を有し、該原稿照射手段が原稿読み取りを開始する基準位置から任意の距離だけ離れた位置において、該画像データを取得することにより、任意のサイズの原稿を検知可能としたことを特徴とする。
【０００７】
請求項２記載の発明は、請求項１記載の発明において、ユーザーが設定するための設定画面を有し、該設定画面によりユーザーが任意の主走査長ならびに副走査長を設定する設定機能を有し、該設定機能により設定された任意の原稿サイズを検知することを特徴とする。
【０００８】
請求項３記載の発明は、請求項２記載の発明において、システム管理者としてシステムに登録された特定ユーザーだけがシステムの設定をすることができるシステム管理者設定画面を有し、前記副走査長の設定は前記システム管理者設定画面でだけ設定できることを特徴とする。
【０００９】
請求項４記載の発明は、請求項２記載の発明において、ユーザーが設定可能な原稿サイズに上限があることを特徴とする。
【００１０】
請求項５記載の発明は、請求項４記載の発明において、ユーザーが前記原稿サイズの上限より大きなサイズを設定した場合、該設定画面に上限を超えていることを表示するようにしたことを特徴とする。
【００１１】
請求項６記載の発明は、請求項４記載の発明において、ユーザーが前記原稿サイズの上限よりサイズより大きなサイズを設定した場合、警告音を鳴らすようにしたことを特徴とする。
【００１２】
請求項７記載の発明は、請求項４記載の発明において、ユーザーが前記原稿サイズの上限より大きなサイズを設定した場合、該設定を無効とするようにしたことを特徴とする。
【００１３】
請求項８記載の発明は、請求項２記載の発明において、ユーザーが設定可能な原稿サイズに下限を設けたことを特徴とする。
【００１４】
請求項９記載の発明は、請求項８記載の発明において、ユーザーが前記原稿サイズの下限より小さなサイズを設定した場合、該設定画面に下限を超えていることを表示するようにしたことを特徴とする。
【００１５】
請求項１０記載の発明は、請求項８記載の発明において、ユーザーが前記原稿サイズの下限より小さなサイズを設定した場合、警告音を鳴らすようにしたことを特徴とする。
【００１６】
請求項１１記載の発明は、請求項８記載の発明において、ユーザーが前記原稿サイズの下限より小さなサイズを設定した場合、該設定を無効にするようにしたことを特徴とする。
【００１７】
請求項１２記載の発明は、請求項２記載の発明において、ユーザーが任意の原稿サイズを設定する画面において、長さの設定単位の切り替えが可能なことを特徴とする。
【００１８】
請求項１３記載の発明は、請求項１から１２のいずれか１項記載の画像読み取り装置を有する画像形成装置であることを特徴とする。
【００１９】
請求項１４記載の発明は、請求項２記載の画像読取装置を有する画像形成装置において、定型サイズ用紙をセット可能な給紙トレイを有し、前記設定機能によりユーザーが設定したサイズと該給紙トレイにセットされている用紙サイズを比較する比較手段を有し、該比較手段により、該ユーザー設定サイズと該給紙トレイにセットされた用紙のサイズとが一致した場合、前記設定画面に定型サイズであることを表示するようにしたことを特徴とする。
【００２０】
請求項１５記載の発明は、請求項２記載の画像読取装置を有する画像形成装置において、定型サイズ用紙をセット可能な給紙トレイを有し、前記設定機能によりユーザーが設定したサイズと該給紙トレイにセットされている用紙サイズを比較する比較手段を有し、該比較手段により、該ユーザー設定サイズと該給紙トレイにセットされた用紙のサイズとが一致した場合、警告音を鳴らすようにしたことを特徴とする。
【００２１】
請求項１６記載の発明は、請求項２記載の画像読取装置を有する画像形成装置において、定型サイズ用紙をセット可能な給紙トレイを有し、前記設定機能によりユーザーが設定したサイズと該給紙トレイにセットされている用紙サイズを比較する比較手段を有し、該比較手段により、該ユーザー設定サイズと該給紙トレイにセットされた用紙のサイズとが一致した場合、該設定を無効にするようにしたことを特徴とする。
【００２２】
請求項１７記載の発明は、請求項２記載の画像読取装置を有する画像形成装置において、任意のサイズの用紙を給紙可能な給紙トレイを有し、前記設定機能によりユーザーが設定した原稿サイズを検知した場合、該給紙トレイから用紙を給紙するようにしたことを特徴とする。
【発明の効果】
【００２３】
本発明によれば、原稿を載置する装置と、原稿を照射する原稿照射手段とを有し、原稿照射手段により載置装置上の原稿を走査して原稿の複数ラインの画像データを取得し、画像データを用いて原稿の主走査サイズを判定する判定機能を有し、原稿照射手段が原稿読み取りを開始する基準位置から任意の距離だけ離れた位置において、画像データを取得することにより、任意のサイズの原稿を検知可能としたので、定型サイズ以外のサイズであっても検知することができる。
【発明を実施するための最良の形態】
【００２４】
以下、本発明の実施の形態を図面を参照にして詳細に説明する。
図１は、本発明の実施対象となる画像読取装置の概略構成を示す断面図である。
この画像読取装置は、原稿面をなすコンタクトガラス１上に置いた原稿１０に対してランプ２により光を照射し、第１ミラー３、第２ミラー４、第３ミラー５によって反射させた光をレンズ８によって集光し、ＣＣＤ９上に結像する。ランプ２及び第１ミラー３が距離Ｌだけ進む間に第２ミラー４、第３ミラー５は距離Ｌ／２だけ進む。このことにより、光学系の光路長を一定に保ち、原稿全体を走査する。
【００２５】
図２は、図１に示した画像読取装置の機械構成を示す斜視図である。
ランプ２と第１ミラー３とを備えた第１キャリッジ６は駆動ワイヤ１１に取り付けられ、第２ミラー４と第３ミラー５とを備えた第２キャリッジ７はプーリ１２に駆動ワイヤが巻きつけられる。駆動軸１４に繋がれたワイヤプーリ１５に駆動ワイヤ１１を巻きつけ、タイミングプーリ１６とタイミングベルト１７とによって、モータ１８の駆動を伝達する。
【００２６】
第１キャリッジ６の一端がホームポジションセンサ１３を横切ってからある一定距離をリターンさせた位置をホームポジションとする。
【００２７】
図３は、本発明に係る画像形成装置のシステム制御ブロック図である。
図３を基に、本画像読取装置の実施形態である制御形態について説明する。
システムコントローラ６３０は、スキャナプリケーション、コピーアプリケーション、ＦＡＸアプリケーション、プリンタプリケーション等の複数及び単体アプリケーションの機能を持つ事ができ、システム全体の制御を行う。
操作パネル制御装置６３１は、本画像読取装置の設定の入力とその状態内容を表示する装置である。
画像制御装置６３２は、原稿画像の読み取り、公知の電子写真技術による転写用紙への画像書き込みを行う。
画像データバス／制御コマンドバス６２０は、画像データと制御コマンドとが時分割で転送されるバスである。
【００２８】
ＣＰＵ６０５はシステムコントローラ６３０の制御を行う。ＲＯＭ６０４にはシステムコントローラ６３０の制御プログラムが書かれている。ＲＡＭ６０３は、ＣＰＵ６０５が使用する作業用メモリである。
ＮＶＲＡＭ６０２は、不揮発性メモリでありシステム全体の情報の保管を行う。
ネットワークＩ／Ｆコントローラ６００６は、ネットワークとの接続制御を行う。
システムＩ／Ｆ６０７はＣＰＵ６０５の命令によりシステム内で処理される、ＦＡＸデータ、プリンタデータの転送制御を行う。
【００２９】
ワークメモリ６００はプリンタで使用する画像展開の作業用メモリである。
フレームメモリ６０１は、読み取り画像や書き込み画像のイメージデータを蓄える作業用メモリであり、イメージデータは、符号化されたりドットイメージであったりしてもよい。
ＦＩＦＯバッファ６０９は、入力画像をフレームメモリへの書き込み時のデータ転送速度変換を行う。同様にＦＩＦＯバッファ６０８は、フレームメモリの画像データを出力画像としてデータ転送する時の速度変換を行う。
【００３０】
メモリコントローラ６１０はＣＰＵ６０５の制御なしにフレームメモリ及び、ＨＤＤＣ６５０とバス間の画像の入出力をコントロールする。
ＨＤＤＣ６５０は、内部に周知のＨＤＤを持ちＨＤＤへ画像データの入出力制御を行う。ＨＤＤには画像読取装置６２３で読み取られた画像及び、ネットワーク経由で取得した画像が保存される。
【００３１】
ＣＰＵ６１７は、操作パネル制御装置６１１の制御を行う。ＲＯＭ６１６は操作パネル制御装置 ６１１の制御プログラムが書かれている。ＲＡＭ６１８は、ＣＰＵ６１７で使用する作業用メモリである。
入力装置６１４は、使用者がシステム設定の入力を行う装置である。
表示装置６１５は使用者がシステムの設定内容、状態を確認するためそれらを表示する装置である。
ＣＰＵ６２５は、画像入出力制御装置６３２の制御を行う。ＲＯＭ６２９には、画像入出力装置 ６３２の制御プログラムが書かれている。ＲＡＭ６２８はＣＰＵ６２５で使用する作業用メモリである。画像書き込みユニット６２３はレーザー光を画素周波数で点灯しポリゴンスキャナでスキャンする公知の光学書き込み装置の制御ユニットである。
【００３２】
画像読み取りユニット６２４は、ランプ光を原稿で反射しＣＣＤで読み取る、公知の光学式スキャナの制御を行うユニットである。また、画像読取ユニット６２４は、画像処理を行い可視及び不可視の識別子を画像データから分離する。前述した分離した識別子はＣＰＵ６２５でコード化されシステムコントロオーラ６３０に送られネットワーク上に存在する画像処理装置及びコンピュータを特定する。
原稿搬送制御ユニット６３４は、複数枚積載された原稿から画像読取ユニット６２３が読み取る原稿を１枚ずつ搬送する。また、原稿搬送制御ユニット６３４は、原稿のサイズ検出も行う。
電子写真プロセスユニット６２６は感光体上にレーザー光で書きこまれた潜像画像をトナーで実像化し用紙に転写、定着する周知の電子写真技術を制御するユニットである。
【００３３】
転写紙搬送制御６２７は、電子写真ユニット６２６で画像が転写される用紙の搬送制御を行う。転写紙搬送制御６２７は、任意のサイズの用紙をセット可能な手差し給紙トレイ５１１、および定型サイズの用紙をセット可能な給紙トレイ５１２、５１３、５１４、５１５から転写紙を給紙する。
【００３４】
図４は、本発明に係る画像形成装置のブロック図である。
ＲＡＭ１０１３がバスラインを介してＣＰＵ１００４に接続され、ＣＰＵ１００４がスキャナ１００１、ＩＰＵ１００２、及びプリンタ１００３に他のバスラインを介して接続されている。ＣＰＵ１００４は、操作部他のＣＰＵ及び表示部を有する１００５に接続されている。
【００３５】
図５は、本発明の主要な構成要素となるＩＰＵ１００２内のブロック図である。
スキャナ１００１から受け取った原稿読み取りデータに対し、所望の画像処理を実施するが、原稿サイズ検知動作を行う場合、画像処理モジュール１０１１に接続された複数ラインメモリ１０１２にその画像データを蓄える。
複数ラインメモリ１０１２を制御するメモリコントロール１０１３を併せ持ち、ＣＰＵ１００４から複数ラインメモリ１０１２データのリード／ライトが可能となっている。
【００３６】
図６は、本発明に係る画像形成装置の原稿サイズ検知動作シーケンスを示すフローチャートである。
以下、図６を用いて原稿サイズ動作を説明する。
キャリッジが原稿サイズ検知位置に載置され、かつ圧板が閉められたことを検知、もしくはユーザーが原稿の読み取りを開始した時点で原稿サイズ検知動作の開始する（ステップＳ１）。圧板の開閉は、ＤＦ開閉センサのＯＮ／ＯＦＦによって検知する。原稿サイズ検知が開始されると、第１に原稿サイズ検知のために必要な準備を行う（ステップＳ２）。
ステップＳ２においては図８、図９に示すような原稿サイズ検知のための原稿読み取りタイミングの設定、および必要に応じてシェーディング補正に必要な準備設定を実行する。
ステップＳ１で準備が完了すると、サイズ検知用のデータ取得のために原稿の照射を開始する（ステップＳ２）。
ステップＳ２では、ランプ点灯を実行する。
【００３７】
図６において、ステップＳ１およびステップＳ２は順次処理するような記載となっているが、特に順序の規定はなく、並行処理することも可能である。
ステップＳ１およびステップＳ２の処理が完了した時点で原稿サイズ検知用のデータ取得を実行する（ステップＳ３）。
【００３８】
ステップＳ３では、原稿サイズ用のライト信号を発生し、ライト信号の有効期間内の画像データ読み取りを行って処理を終了する。このとき、キャリッジを移動させて原稿を走査しながら読み取りを実行するか、もしくはキャリッジを原稿サイズ検知位置に停止させたまま読み取りを実行し、２ライン以上の読み取り画像データを取得しても良い。
【００３９】
キャリッジを移動させて原稿を走査しながら読み取りを実行する場合には、原稿上の異なる位置の画像を読み取ることが可能であり、原稿上の画像データの内容によって原稿サイズの誤検知を招くことを防止するとともに読み取りと同時に並行してキャリッジを本来の原稿読み取り（本スキャン）位置へ移動させるため、原稿検知後の本スキャン開始までの時間を短縮することができる。
【００４０】
一方、キャリッジを原稿サイズ検知位置に停止させたまま読み取れば、原稿台に対する外光の影響や原稿照射用のランプの点灯状態の変化を画像データの内容から明確検出することが可能になるという利点もある（キャリッジを移動させる場合でも検出は不可能ではない）。
ステップＳ３で原稿サイズ検知用のデータ取得が完了したら、原稿の照射を終了する（ステップＳ４）。
【００４１】
ただし、原稿サイズ検知用のデータ取得が完了した直後に本スキャンを開始するような場合には、ステップＳ４の処理を実行せず原稿照射用のランプを点灯したままにする場合もあり得るが、図６には本スキャンを実行するか否かの判断処理は記載しない。
【００４２】
また、ステップＳ４の処理は以下に説明するステップＳ５の処理との順序の規定はなく平行処理することも可能である。
ステップＳ３の処理が完了した時点で、原稿サイズを解析するために読み取った原稿画像データの取り出しを行う（ステップＳ５）。
【００４３】
本実施形態において、読み取った原稿画像データの取り出しは、図５に記載されているＣＰＵ１００４から複数ラインメモリ１０１２に保存されたデータを読み出すことで行われる。
ステップＳ５で取り出した画像データを解析し、原稿サイズの判定を行う（ステップＳ６）。
ステップＳ６における解析の詳細は各請求項の実施形態にて説明を行う。
【００４４】
ステップＳ６において、原稿サイズの判定が成功した場合には、ステップＳ８で原稿サイズを決定する。
原稿サイズの決定とは具体的には図５におけるＣＰＵ１００４に接続されたプログラム実行用のメモリ１０１３（ＲＡＭ）に原稿サイズ情報を保存しておくことであり、以降は必要に応じて決定した原稿サイズ情報を読み出して利用する。
【００４５】
原稿サイズの決定後は、原稿サイズ検知動作を完了する（ステップＳ９）。
ステップＳ７において、原稿サイズの判定に失敗した場合には、原稿サイズを決定せず、原稿サイズ検知動作を完了する（ステップＳ９）。
原稿サイズの判定が失敗する例としては、真黒な原稿の場合や、原稿台に対する外光の影響や原稿照射用のランプの点灯状態（ランプをＯＮしたが光量が安定していない状態で読み取りを実行する等）によって、読み取りデータから原稿のサイズを判定することができない場合が考えられる。
以上が本発明における原稿サイズ検知動作の基本シーケンスである。
【００４６】
〔ステップＳ７の詳細〕
図７は、本発明に係る画像形成装置におけるメモリコントロール１０１３の一例を示す図である。
ラインセンサ読み取り１ラインの基準となるＸＬＳＹＮＣ信号と画素クロックであるところのＰＣＬＫ、ラインセンサ読み取り開始トリガを示すＸＦＳＹＮＣ信号を画像処理モジュール１０１１から受け取り、複数ラインメモリ１０１２にライトリセット（ＸＷＲＳＴ）信号とライトイネーブル（ＸＷＥ）信号とを渡している。それと共にＣＰＵ１００４からメモリライト領域を示す主走査スタート、主走査幅、副走査スタート、副走査幅の４つのパラメータを受け取り、２つの基準信号：ＸＦＳＹＮＣ、ＸＬＳＹＮＣからメモリのライト位置を確定する。
【００４７】
図８は本発明に係る画像読取装置における副走査方向のタイミングを示す図であり、図９は本発明に係る画像読取装置における主走査方向のタイミングを示す図である。図８、９において横軸は時間軸であり、縦軸は上から順に信号ＸＦＳＹＮＣ、ＸＬＳＹＮＣ、ＸＷＲＳＴ、ＸＷＥの電圧軸である。
メモリコントロールとして上記構成を持つことにより、図１１に示すような２次元方向の複数パッチのデータを同時にメモリに書き込むことが可能となる（斜線部がメモリ書込み領域を示す。）。
【００４８】
図１０は、図６の基本フローチャートの中のステップＳ６の画像データを取り出す実施形態を示す図である。図１１は、本発明に係る画像読取装置におけるパッチデータと信号Ｌ（ｎ）ＩＮ、Ｌ（ｎ）ＪＵＤＧＥ、及びＸＷＥとの関係を示す図である。
図１１に示すパッチデータを複数ラインメモリ１０１２から１パッチずつＣＰＵ１００４の持つＲＡＭ１０１３に読み出し、１パッチの平均値を求め２値化を行うことで、パッチの白黒判定を行っている。
図１０のフローチャートに従って説明する。
白黒判定フローをスタートすると、ステップＳ１１にて１パッチ内の画素数を設定する。
その後複数ラインメモリ１０１２から１画素単位でリードを行い、設定されたＮ画素の加算を行う（ステップＳ１２、Ｓ１３、Ｓ１８）。
その後ステップＳ１４にて１パッチ内の平均値を求め、そのパッチの２値化を行う（ステップＳ１５）。
その結果からパッチの黒画素、白画素を判定し（ステップＳ１６、Ｓ１７）、白黒判定フローを終了する。
平均値を求めるフローとしてＮ画素全加算の後で全平均としている（ステップＳ１３、Ｓ１４）が、例えば主走査方向だけの加算を行い１ラインでの平均を求め、その後次のラインの加算と平均を繰り返し、最終判定を行う方式でも本発明には何ら影響は無い。
【００４９】
次に図６の基本フローチャートの中の（ステップＳ６）、画像データを解析し、サイズ検知を行う実施形態を示す。
原稿サイズ検知の基本的なアルゴリズムは、圧板が開いている時に原稿の白地部分と原稿外の原稿の無い部分が反射光が無く黒になることを利用している。つまり図１２において、閾値ＴＨよりも明るい場合が原稿有り、閾値ＴＨよりも暗い場合が原稿無しとして判定することとなる。さらに、原稿端部では、原稿の内側は原稿あり、原稿の外側では原稿なしとなることを利用して原稿端部  を判別し、原稿端部の位置により主走査原稿サイズを決定する。
図１２は、本発明に係る画像読取装置における原稿の濃度と読み取り時間との関係を示す図である。
【００５０】
以下、図１７と図１３のフローチャートを用いて、原稿サイズを検知する例を説明する。
図１３は、本発明に係る画像読取装置における定型原稿サイズ判断のフローチャートの一例であり、図１７は、本発明に係る画像読取装置における不定サイズの走査長の説明図である。
Ａ３サイズ、Ａ４サイズ、Ａ５サイズなどの定型サイズを検知するために、図１７に示すようなパッチセットを用意する。
パッチセットは、検知可能な定型サイズの数だけ存在する。各定型サイズにおいて、原稿内/外が切り替わる位置に該当するパッチの白黒判定を行い、原稿端部であるか否かを判断する。
図１７のＬ（ｎ）ＩＮ及びＬ（ｎ）ＪＵＤＧＥのｎは何組目のパッチセットかを示し（主走査方向内側からｎ=０とする）、ＩＮとＪＵＤＧＥは主走査方向の位置を示し、ＩＮが検知対象原稿すべて原稿内に入る主走査位置を、ＪＵＤＧＥが原稿により原稿内／外が切り替わる主走査位置を示している。
【００５１】
パッチセットＬ（ｎ）ＩＮとＬ（ｎ）ＪＵＤＧＥによって、検知される原稿サイズをＳＩＺＥ（ｎ）とする。
【００５２】
以下図１３のフローチャートに従って説明する。
まず、ｎに初期値として、パッチセットの個数Nを設定する（ステップＳ５０１）。
前述の方法により、Ｌ（ｎ）ＪＵＤＧＥが黒か白かを判断する（ステップＳ５０２）。
Ｌ（ｎ）ＪＵＤＧＥが白だった場合は、原稿サイズが検知できないと判断する（ステップＳ５０３）。
Ｌ（ｎ）ＪＵＤＧＥ黒だった場合は、引き続きＬ（ｎ）ＩＮが黒か白かを判断する（ステップＳ５０４）。
Ｌ（ｎ）ＩＮが白だった場合は、ｎのパッチセットの位置が原稿端部であると判断し、検知サイズをＳＩＺＥ（ｎ）とする（ステップＳ５０５）。
Ｌ（ｎ）ＩＮが黒だった場合は、ｎのパッチセット位置には原稿はないと判断し、ｎ＝１か否かチェックする（ステップＳ５０６）。
【００５３】
ｎ＝１の場合、原稿サイズが検知できない（もしくは原稿がない）と判断する（ステップＳ７）。ｎ≠１の場合、ｎ＝ｎ−１とし（ステップＳ５０８）、ｎ＝１になるまで、ステップＳ５０２以降を繰り返す。
【００５４】
［請求項１の作用］
図１７、図１８、図２０を用いて、主走査サイズ検知方法を利用して、任意の原稿サイズを検知する例を説明する。
図１８は、本発明に係る画像読取装置における不定原稿サイズ判断のフローチャートの一例である。図２０は、本発明に係る画像読取装置における任意原稿サイズデータ取得のフローチャートの一例である。
まず、図２０のフローチャートを用いて、サイズ検知用のデータを取得する例を説明する。
検知する原稿サイズの副走査長をＸ、原稿端を判断するためのマージンをαとすると、ランプ２の照射を開始し、キャリッジ６をホームポジションからＸ− αだけ離れた位置に移動させる（ステップＳ５５１）。
光量が安定したら、図１７に示したパッチを用いて、パッチデータＬ（Ｘ）ＩＮ５２１およびパッチデータＬ（Ｘ）ＪＵＤＧＥ５２２を取得する（ステップＳ５５２）。
【００５５】
続いて、キャリッジ６をホームポジションからＸ＋αだけ離れた位置に移動させる（ステップＳ５５３）。
続いて、パッチデータＬ（Ｘ）ＳＵＢ＿ＪＵＤＧＥ５２３を取得する（ステップＳ５５４）。
パッチデータの取得が終了したら、ランプ２の照射を終了する。
【００５６】
次に、図１８のフローチャートを用いて、上記パッチデータをもとに原稿サイズを検知する例を説明する。
まず、パッチデータＬ（Ｘ）ＪＵＤＧＥが黒か否かを判断する（ステップＳ５３１）。
Ｌ（Ｘ）ＪＵＤＧＥが白の場合は、指定の原稿サイズではないと判断する（ステップＳ５３２）。
Ｌ（Ｘ）ＪＵＤＧＥが黒の場合は、つづいて、パッチデータＬ（Ｘ）ＳＵＢ＿ＪＵＤＧＥが黒か否か判断する（ステップＳ５３３）。
Ｌ（Ｘ）ＳＵＢ＿ＪＵＤＧＥが白の場合、指定の原稿サイズではないと判断する（ステップＳ５３４）。
Ｌ（Ｘ）ＳＵＢ＿ＪＵＤＧＥが黒の場合、つづいてパッチデータＬ（Ｘ）ＩＮが白か否か判断する（ステップＳ５３５）。
Ｌ（Ｘ）ＩＮが黒の場合、指定の原稿サイズではないと判断する（ステップＳ５３６）。
Ｌ（Ｘ）ＩＮが白の場合、指定サイズであると判断する（ステップＳ５３７）。
【００５７】
[請求項２の作用]
図１９は、本発明に係る画像読取装置における原稿サイズ判断のフローチャートの一例である。図１９のフローチャートを用いて、ユーザーが設定した任意の原稿サイズと定型サイズを検知する例を説明する。
【００５８】
図１５は、画像読取装置の概念図である。
同図において、３０１は表示部、３０２は第１キャリッジ、３０３は第２キャリッジ、３０４はセンサ、３０５はランプ、３０６は筐体、３０７はレンズ、３０８はＣＣＤ、３０９は基板、３１０は原稿、３１１はモータをそれぞれ示す。
【００５９】
図１６は、画像形成装置の操作部の一例を示す外観図である。
図１６の操作表示部の初期設定ボタン１００を押下すると、表示部１０５に図２６の初期設定画面が表示される。不定原稿サイズ設定アイコン４０１を押下すると、原稿サイズ設定画面（図２５参照）が表示される。
ユーザーにより、テンキー１０６によって原稿サイズが入力され、設定アイコン４１２が押下されると、入力された原稿サイズは、ＮＶＲＡＭ６５０に保存される。ＣＰＵ６２５は、原稿サイズ検知が開始すると、ＮＶＲＡＭ６５０に保存されたサイズデータをもとに図１７に示したパッチパターンを作成し、これを用いて請求項１記載の手順により、パッチデータＬ（ｎ）ＩＮ、Ｌ（ｎ）ＪＵＤＧＥ（ｎは０〜Ｎ、およびＸ）、Ｌ（Ｘ）ＳＵＢ＿ＪＵＤＧＥを取得する。
【００６０】
続いて、図１９を用いて原稿サイズ検知の例を説明する。まず、定型原稿サイズであるか否かの判断を行う（ステップＳ５４１）。
詳細は、図１３を用いて前述したとおりである。定型原稿サイズ検知によって、サイズが確定した場合は、原稿サイズ検知を終了する（ステップＳ５４２：図１９参照）。
サイズが確定しなかった場合は、つづいて、不定原稿サイズ検知を行う（ステップＳ５４３：図１９参照）。詳細は、請求項１の作用にて、前述したとおりである。
【００６１】
不定原稿サイズ検知によって、サイズが確定した場合は、原稿サイズ検知を終了する（ステップＳ５４４：図１９参照）。
サイズが確定しなかった場合は、原稿サイズ不明と判断し、原稿サイズ検知を終了する（ステップＳ５４５：図１９参照）。
【００６２】
[請求項３の作用]
図２１は、本発明に係る画像読取装置における原稿サイズ判断のフローチャートの一例である。
図２１のフローチャートを用いて請求項２記載の設定は、システム管理者が設定する例を説明する。
請求項２の設定において、図２６の初期設定画面より、システム初期設定画面にある管理者用設定アイコン４００を選択すると９０３、管理者用設定画面を表示する前に、図２２の管理者を識別するための認証コード入力画面が表示される。
図２６は、本発明に係る画像形成装置の操作部に表示される画面の一例である。
図２２は、本発明に係る画像形成装置の操作部に表示される画面の一例であり、図２３は、暗証コードと管理者ＩＤとの関係を示すデータの一例である。
【００６３】
ユーザーは管理者ＩＤと管理者用認証コードを入力し（ステップＳ９０４）、図２３に示した、システムに予め登録されている管理者ＩＤと管理者用認証コードが一致した場合（ステップＳ９０５）、管理者用画面表示がされ（ステップＳ９０６）、請求項２記載の原稿サイズを設定することが可能となる。
管理者ＩＤと管理者用認証コードとは、ＮＶＲＡＭ６０２に保存されている。
【００６４】
[請求項４の作用]
請求項２の設定において、設定可能な原稿サイズにあらかじめ上限が設定されている例を説明する。
請求項２の設定の際に、ユーザーからテンキー１０６によって入力された原稿サイズと、あらかじめＲＯＭ６０４に記憶されている、システムで設定可能な上限サイズを比較し、上限より入力サイズが小さい場合は、ＮＶＲＡＭ６０２に保存する。
【００６５】
[請求項５の作用]
請求項５の機能において、入力されたサイズが上限より大きい場合は、その旨を表示する例を説明する。
請求項２の設定の際に、ユーザーからテンキー１０６によって入力された原稿サイズと、あらかじめＲＯＭ６０４に記憶されている、システムで設定可能な上限サイズを比較し、上限サイズより設定サイズが大きい場合は、表示装置６１５によりユーザーにその旨を表示する（図２４参照）。表示内容はＲＯＭ６１６にプログラムされている。
図２４は、本発明に係る画像形成装置に表示される、設定値が上限を超えた場合の設定表示画面の一例である。
【００６６】
[請求項６の作用]
請求項６の機能において、入力されたサイズが上限より大きい場合は、警告音を鳴らす例を説明する。請求項２の設定の際に、ユーザーからテンキー１０６によって入力された原稿サイズと、あらかじめＲＯＭ６０４に記憶されている、システムで設定可能な上限サイズを比較し、上限サイズより設定サイズが大きい場合は、表示装置６１５内蔵のスピーカーにより、警告音を鳴らす。警告音はＲＯＭ６１６にプログラムされている。
【００６７】
[請求項７の作用]
請求項４の機能において、入力されたサイズが上限より大きい場合は、その入力を無効にする例を説明する。請求項２の設定の際に、ユーザーからテンキー１０６によって入力された原稿サイズと、あらかじめＲＯＭ６０４に記憶されている、システムで設定可能な上限サイズを比較し、上限より設定サイズが大きい場合は、設定を無効とし、ＮＶＲＡＭ６０２に、入力が無効であることを示す値を保存する。
原稿検知時に、ＮＶＲＡＭ６０２の値を確認する際に、無効を表す値だった場合は、不定原稿サイズ検知を行わない。
【００６８】
[請求項８の作用]
請求項２の設定において、設定可能な原稿サイズにあらかじめ下限が設定されている例を説明する。請求項２の設定の際に、ユーザーからテンキー１０６によって入力された原稿サイズと、あらかじめＲＯＭ６０４に記憶されている、システムで設定可能な下限サイズを比較し、下限より設定サイズが大きい場合は、ＮＶＲＡＭ６０２に保存する。
【００６９】
[請求項９の作用]
請求項８の機能において、入力されたサイズが下限より小さい場合は、その旨を表示する例を説明する。請求項２の設定の際に、ユーザーからテンキー１０６によって入力された原稿サイズと、あらかじめＲＯＭ６０４に記憶されている、システムで設定可能な下限サイズを比較し、下限サイズより設定サイズが小さい場合は、表示装置６１５によりユーザーにその旨を表示する（図２７参照）。表示内容はＲＯＭ６１６にプログラムされている。
図２７は、本発明に係る画像形成装置の操作部に表示される、設定値が下限を超えたときの画面の一例である。
【００７０】
[請求項１０の作用]
請求項８の機能において、入力されたサイズが下限より小さい場合は、警告音を鳴らす例を説明する。請求項２の設定の際に、ユーザーからテンキー１０６によって入力された原稿サイズと、あらかじめＲＯＭ６０４に記憶されている、システムで設定可能な下限サイズを比較し、下限サイズより設定サイズが小さい場合は、表示装置６１５の内蔵のスピーカーにより、警告音を鳴らす。警告音はＲＯＭ６１６にプログラムされている（図２８参照）。
図２８は、本発明に係る画像形成装置の操作部に表示される画面の一例である。
【００７１】
[請求項１１の作用]
請求項８の機能において、入力されたサイズが下限より小さい場合は、入力を無効にする例を説明する。請求項２の設定の際に、ユーザーからテンキー１０６によって入力された原稿サイズと、あらかじめＲＯＭ６０４に記憶されている、システムで設定可能な下限サイズを比較し、下限サイズより設定サイズが小さい場合は、設定を無効とし、ＮＶＲＡＭ６０２に、入力が無効であることを示す値を保存する。原稿検知時に、ＮＶＲＡＭ６０２の値を確認する際に、無効を表す値だった場合は、不定原稿サイズ検知を行わない。
【００７２】
[請求項１２の作用]
請求項２の設定において、入力する原稿サイズの単位を切り替える例を説明する。請求項１の設定の際に、表示装置６１５に入力単位の切り替えを表すアイコン４１１を示す。ユーザーがアイコン４１１を押下すると、ＣＰＵ６１７内により、設定単位を切り替える。設定単位はたとえば、ｍｍとインチなどがある。
【００７３】
[請求項１３、１４の作用]
請求項１３の画像形成装置において、入力されたサイズが、給紙トレイにセットされた定型用紙サイズと等しい場合、その旨を表示する例を説明する。
請求項１３、１４の画像形成装置において、ユーザーが図２５の不定原稿サイズ設定画面を表示させ、テンキー１０６を用いて、任意の不定原稿サイズを入力すると、ＣＰＵ６０５は、ＮＶＲＡＭ６５０に保存された各給紙トレイ５１２、５１３、５１４、５１５の定型サイズの主走査サイズと入力された主走査サイズを比較する。両者が一致した場合は、同様に副走査サイズ同士を比較する。両者が一致した場合は、入力された原稿サイズが同一であると判断し、表示装置６１５にその旨を表示する（図２５参照）。
図２５は、本発明に係る画像形成装置に表示される不定原稿サイズ設定画面の一例である。
【００７４】
[請求項１５の作用]
請求項１３の画像形成装置において、入力されたサイズが、給紙トレイにセットされた定型用紙サイズと等しい場合、警告音を鳴らす例を説明する。
請求項４の画像読形成装置において、ユーザーが図２５の不定原稿サイズ設定画面を表示させ、テンキー１０６を用いて、任意の不定原稿サイズを入力すると、ＣＰＵ６０５は、ＮＶＲＡＭ６５０に保存された各給紙トレイ５１２、５１３、５１４、５１５の定型サイズの主走査サイズと入力された主走査サイズを比較する。両者が一致した場合は、同様に副走査サイズ同士を比較する。
両者が一致した場合は、入力された原稿サイズが同一であると判断し、表示装置６１５内蔵のスピーカーにより警告音を鳴らす。警告音データはＲＯＭ６１６に保存されている。
【００７５】
[請求項１６の作用]
請求項１３の画像形成装置において、入力されたサイズが、給紙トレイにセットされた定型用紙サイズと等しい場合、設定を無効とする例を説明する。請求項１３の画像形成装置において、ユーザーが図２５の不定原稿サイズ設定画面を表示させ、テンキー１０６を用いて、任意の不定原稿サイズを入力すると、ＣＰＵ６０５は、ＮＶＲＡＭ６５０に保存された各給紙トレイ５１２、５１３、５１４、５１５の定型サイズの主走査サイズと入力された主走査サイズを比較する。両者が一致した場合は、同様に副走査サイズ同士を比較する。両者が一致した場合は、入力された原稿サイズが同一であると判断し、設定を無効とし、ＮＶＲＡＭ６０２に、入力が無効であることを示す値を保存する。原稿検知時に、ＮＶＲＡＭ６０２の値を確認する際に、無効を表す値だった場合は、不定原稿サイズ検知を行わない。
【００７６】
[請求項１７の作用]
請求項１３の画像形成装置において、ユーザーが入力した不定原稿サイズを検知した場合、任意の用紙サイズを給紙可能なトレイから給紙する例を説明する。請求項１３の機能により、ユーザーが設定した不定サイズの原稿を検知した場合、ＣＰＵ６２５は、システムコントローラ６３０にそのことを通知する。システムコントローラ６３０内のＣＰＵ６０５は、画像入出力制御装置６３２に手差しトレイ５１１から給紙し、印刷するように要求する。ＣＰＵ６２５は、転写紙搬送制御ユニット６２７に手差しトレイ５１１から用紙を給紙するように命令する。転写紙搬送制御ユニット６２７は、給紙トレイ５１１から給紙する（図１４参照）。
図１４は、本発明に係る画像形成装置における給紙トレイの配置図である。
【００７７】
なお、上述した実施の形態は、本発明の好適な実施の形態の一例を示すものであり、本発明はそれに限定されることなく、その要旨を逸脱しない範囲内において、種々変形実施が可能である。
【００７８】
〔効果〕
画像読取装置において、主走査サイズ判定用の画像データ取得位置を、任意の副走査位置に一致させ、画像データを用いて原稿が端部か否かを判定することにより、主走査だけでなく任意副走査サイズ検知を可能とすることができる。
【００７９】
ユーザーの設定により、特定の任意サイズの原稿検知を行うことができる。
【００８０】
あらかじめ設定されたシステム管理者以外は、設定画面によりユーザーが任意の主走査長ならびに副走査長を設定する設定機能を不可能にすることができる。
【００８１】
原稿照射手段が走査可能な範囲より大きな原稿は読み取ることができないため、設定画面によりユーザーが任意の主走査長ならびに副走査長を設定する設定機能の設定に上限を設けることにより、読み取り可能なサイズより大きなサイズが設定されることを防ぐことができる。
【００８２】
ユーザーの設定したサイズが設定可能なサイズを超えていることを設定画面に表示することにより、ユーザーに設定の変更をうながすことができる。
【００８３】
ユーザーの設定したサイズが設定可能なサイズを超えていることを警告音により通知することにより、ユーザーに設定の変更をうながすことができる。
【００８４】
ユーザーの設定したサイズが設定可能なサイズを超えている場合、その原稿サイズでの読み取りは不可能なため、設定を無効にすることができる。
【００８５】
たとえば主走査もしくは副走査長さが０に設定された場合など、原稿を読み取ることができないため、該設定に下限を設けることにより、読み取り可能なサイズより小さなサイズが設定されることを防ぐことができる。
【００８６】
ユーザーの設定したサイズが設定可能なサイズを下回っていることを設定画面に表示することにより、ユーザーに設定の変更をうながすことができる。
【００８７】
ユーザーの設定したサイズが設定可能なサイズを下回っていることを警告音により通知することにより、ユーザーに設定の変更をうながすことができる。
【００８８】
ユーザーの設定したサイズが設定可能なサイズを下回っている場合、その原稿サイズでの読み取りは不可能なため、設定を無効にすることができる。
【００８９】
設定画面によりユーザーが任意の主走査長ならびに副走査長を設定する設定機能の設定の際に、たとえば、ミリメートル単位とインチ単位のどちらでも設定可能にすることにより、ユーザーの使いやすさを向上させることができる。
【００９０】
ユーザーが設定した原稿サイズと、給紙トレイにセットされた定型サイズ用紙のサイズを比較し、両者が一致した場合は、従来方法で原稿サイズを検知でき、設定画面によりユーザーが任意の主走査長ならびに副走査長を設定する設定機能を使用する必要がなくなるため、そのことを設定画面に表示することにより、ユーザーに設定の変更をうながすことができる。
【００９１】
ユーザーが設定した原稿サイズと、給紙トレイにセットされた定型サイズ用紙のサイズを比較し、両者が一致した場合は、従来方法で原稿サイズを検知でき、設定画面によりユーザーが任意の主走査長ならびに副走査長を設定する設定機能を使用する必要がなくなるため、警告音を鳴らすことにより、ユーザーに設定の変更をうながすことができる。
【００９２】
ユーザーが設定した原稿サイズと、給紙トレイにセットされた定型サイズ用紙のサイズを比較し、両者が一致した場合は、従来方法で原稿サイズを検知でき、設定画面によりユーザーが任意の主走査長ならびに副走査長を設定する設定機能を使用する必要がなくなるため、設定を無効にすることができる。
【００９３】
不定形サイズの用紙を給紙することが可能な給紙トレイを有し、設定画面によりユーザーが任意の主走査長ならびに副走査長を設定する設定機能により、ユーザー設定の不定形原稿サイズと検知した場合は、不定形サイズ用紙に原稿画像を印刷することにより、ユーザーの使いやすさを向上させることができる。
【図面の簡単な説明】
【００９４】
【図１】本発明の実施対象となる画像読取装置の概略構成を示す断面図である。
【図２】図１に示した画像読取装置の機械構成を示す斜視図である。
【図３】本発明に係る画像形成装置のシステム制御ブロック図である。
【図４】本発明に係る画像形成装置のブロック図である。
【図５】本発明の主要な構成要素となるＩＰＵ１００２内のブロック図である。
【図６】本発明に係る画像形成装置の原稿サイズ検知動作シーケンスを示すフローチャートである。
【図７】本発明に係る画像形成装置におけるメモリコントロール１０１３の一例を示す図である。
【図８】本発明に係る画像読取装置における副走査方向のタイミングを示す図である。
【図９】本発明に係る画像読取装置における主走査方向のタイミングを示す図である。
【図１０】図６の基本フローチャートの中のステップＳ６の画像データを取り出す実施形態を示す図である。
【図１１】本発明に係る画像読取装置におけるパッチデータと信号Ｌ（ｎ）ＩＮ、Ｌ（ｎ）ＪＵＤＧＥ、及びＸＷＥとの関係を示す図である。
【図１２】本発明に係る画像読取装置における原稿の濃度と読み取り時間との関係を示す図である。
【図１３】本発明に係る画像読取装置における定型原稿サイズ判断のフローチャートの一例である。
【図１４】本発明に係る画像形成装置における給紙トレイの配置図である。
【図１５】画像読取装置の概念図である。
【図１６】画像形成装置の操作部の一例を示す外観図である。
【図１７】本発明に係る画像読取装置における不定サイズの走査長の説明図である。
【図１８】本発明に係る画像読取装置における不定原稿サイズ判断のフローチャートの一例である。
【図１９】本発明に係る画像読取装置における原稿サイズ判断のフローチャートの一例である。
【図２０】本発明に係る画像読取装置における任意原稿サイズデータ取得のフローチャートの一例である。
【図２１】本発明に係る画像読取装置における原稿サイズ判断のフローチャートの一例である。
【図２２】本発明に係る画像形成装置の操作部に表示される画面の一例である。
【図２３】暗証コードと管理者ＩＤとの関係を示すデータの一例である。
【図２４】本発明に係る画像形成装置の操作部に表示される、設定値が上限を超えた場合の設定表示画面の一例である。
【図２５】本発明に係る画像形成装置の操作部に表示される不定原稿サイズ設定画面の一例である
【図２６】本発明に係る画像形成装置の操作部に表示される画面の一例である。
【図２７】本発明に係る画像形成装置の操作部に表示される、設定値が下限を超えたときの画面の一例である。
【図２８】本発明に係る画像形成装置の操作部に表示される画面の一例である。
【符号の説明】
【００９５】
１    コンタクトガラス
２    ランプ
３    第１ミラー
４    第２ミラー
５    第３ミラー
６    第１キャリッジ
７    第２キャリッジ
８    レンズ
９    ＣＣＤ
１０    原稿
１１    駆動ワイヤ
１２    プーリ
１３    ホームポジションセンサ
１４    駆動軸
１５    ワイヤプーリ
１６    タイミングプーリ
１７    タイミングベルト
１８    モータ
【図１】
2008211522.tif 000003
【図２】
2008211522.tif 000004
【図３】
2008211522.tif 000005
【図４】
2008211522.tif 000006
【図５】
2008211522.tif 000007
【図６】
2008211522.tif 000008
【図７】
2008211522.tif 000009
【図８】
2008211522.tif 000010
【図９】
2008211522.tif 000011
【図１０】
2008211522.tif 000012
【図１１】
2008211522.tif 000013
【図１２】
2008211522.tif 000014
【図１３】
2008211522.tif 000015
【図１４】
2008211522.tif 000016
【図１５】
2008211522.tif 000017
【図１６】
2008211522.tif 000018
【図１７】
2008211522.tif 000019
【図１８】
2008211522.tif 000020
【図１９】
2008211522.tif 000021
【図２０】
2008211522.tif 000022
【図２１】
2008211522.tif 000023
【図２２】
2008211522.tif 000024
【図２３】
2008211522.tif 000025
【図２４】
2008211522.tif 000026
【図２５】
2008211522.tif 000027
【図２６】
2008211522.tif 000028
【図２７】
2008211522.tif 000029
【図２８】
2008211522.tif 000030